【手続補正書】
【提出日】平成19年3月14日(2007.3.14)
【手続補正１】
【補正対象書類名】明細書
【補正対象項目名】特許請求の範囲
【補正方法】変更
【補正の内容】
【特許請求の範囲】
【請求項１】  硝酸エステルが下記の式（式I）を有する、被験者において認知増強に影響を及ぼす医用薬剤の製造における硝酸エステルの使用：
【化１】
2002539152.tif 000001
式中、E、F、Gは有機ラジカルであって、無機対イオンを含んでいてもよい。
【請求項２】  硝酸エステルが下記の式（式II）を有する、被験者において神経変性の軽減のための医用薬剤の製造における硝酸エステルの使用：
【化２】
2002539152.tif 000002
式中、m、n、およびpは0から10の整数であり；
R3,17はそれぞれ独立に水素、硝酸基、またはAであり；
R1,4はそれぞれ独立に水素またはAであり；
ただしAは、置換または無置換脂肪族基（好ましくは鎖中に1から24個の炭素原子を有する分枝または直鎖脂肪族部分）であって、任意に鎖中にO、S、NR6および不飽和を含み、任意に1から4個の水酸基、硝酸基、アミノ基またはアリールもしくは複素環基を有する基；脂肪族環中に3から7個の炭素原子を有する無置換または置換環状脂肪族部分であって、任意に環中にO、S、NR6および不飽和を含み、任意に1から4個の水酸基、硝酸基、アミノ基またはアリールもしくは複素環基を有する部分；R1とR3との間および／またはR17とR4との間に0から5個の炭素の結合を構成する無置換または置換脂肪族部分であって、任意に結合中にO、S、NR6および不飽和を含み、任意に1から4個の水酸基、硝酸基、アミノ基またはアリールもしくは複素環基を有する部分；カルボニル結合（例えばC=O、C=S、C=NOH）を含む置換または無置換脂肪族基（好ましくは鎖中に1から24個の炭素原子を有する分枝、環状または直鎖脂肪族部分）であって、任意に鎖中にO、S、NR6および不飽和を含み、任意に1から4個の水酸基、硝酸基、アミノ基またはアリールもしくは複素環基を有する基；置換または無置換アリール基；複素環基；アミノ（アルキルアミノ、ジアルキルアミノ（環状アミノ、ジアミノおよびトリアミノ部分を含む）、アリールアミノ、ジアリールアミノ、およびアルキルアリールアミノを含む）；ヒドロキシ；アルコキシ；置換または無置換アリールオキシから選択され；
R2、R5、R18は任意に水素、A、またはX-Yであり；
R19はX-Yであり；
ただしXおよびYは共に、F、Br、Cl、NO2、CN、N2H3、N2H2R13、N2HR13R14、N3、SCN、SCN2H2(R15)2、SCN2H3(R15)、SC(O)N(R15)2、SC(O)NHR15、SO3M、SH、SR7、SO2M、S(O)R8、S(O)2R9、S(O)OR8、S(O)2OR9、PO2HM、PO3HM、PO3M2、P(O)(OR15)(OR16)、P(O)(OR16)(OM)、P(O)(R15)(OR8)、P(O)(OM)R15、CO2M、CO2H、CO2R11、C(O)R12、C(O)(OR13)、PO2H、PO2M、C(O)(SR13)、SR5、SSR7もしくはSSR5であり；または
XはCH2、CF2、O、NH、N(Me)、NH(OH)、S、C(O)、S(O)、S(O2)、P(O)(OR14)、またはP(O)(R13)、およびYはF、Br、Cl、CH3、CF2H、CF3、OH、NH2、NHR6、NR6R7、CN、N2H3、N2H2R13、N2HR13R14、N3、SCN、SCN2H2(R15)2、SCN2H3(R15)、SC(O)N(R15)2、SC(O)NHR15、SO3M、SH、SR7、SO2M、S(O)R8、S(O)2R9、S(O)OR8、S(O)2OR9、PO2HM、PO3M2、P(O)(OR15)(OR16)、P(O)(OR16)(OM)、P(O)(R15)(OR8)、P(O)(OM)R15、CO2M、CO2H、CO2R11、C(O)R12、C(O)(OR13)、C(O)(SR13)、SR5、SSR7もしくはSSR5；
R6、R7、R8、R9、R11、R12、R13、R14、R15、R16は1〜24個の炭素原子を含む同じもしくは異なるアルキルもしくはアシル基であって、1〜4個のONO2置換基を含んでいてもよい基；または環状誘導体のR1〜R4へのC1〜C6連結であるか；あるいはそれぞれ独立に水素、硝酸基、またはAであり；
MはH、Na+、K+、NH4+、kが0〜3であるN+HkR11(4-k)であるか、または他の薬学的に許容される対イオンであり；かつ
硫黄またはリン原子は、該硝酸エステル中の硝酸基のβまたはγである。
【請求項３】  XおよびYは共に、SCN、SCN2H2(R15)2、SCN2H3(R15)、SC(O)N(R15)2、SC(O)NHR15、SO3M、SH、SR7、SO2M、S(O)R8、S(O)2R9、S(O)OR8、S(O)2OR9、C(O)(SR13）、SR5、SSR7またはSSR8であり；または
XがS、S(O)、またはS(O)2であり、かつYがC(O)R12である、請求項２記載の使用。
【請求項４】  XはCH2、CF2、O、NH、N(Me)、C(O)、P(O)(OR14)、またはP(O)(R13)であり；かつ
YはSCN、SCN2H2(R15)2、SCN2H3(R15)、SC(O)N(R15)2、SC(O)NHR15、SO3M、SH、SR7、SO2M、S(O)R8、S(O)2R9、S(O)OR8、S(O)2OR9、C(O)(SR13)、SR5、SSR7またはSSR5である、請求項２記載の使用。
【請求項５】  XおよびYは共に、F、Br、Cl、NO2、CN、N2H3、N2H2R13、N2HR13R14、N3、SCN、SCN2H2(R15)2、SCN2H3(R15)、SC(O)N(R15)2、SC(O)NHR15、SO3M、SH、SR7、SO2M、S(O)R8、S(O)2R9、S(O)OR8、S(O)2OR9、PO2HM、PO3HM、PO3M2、P(O)(OR15)(OR16)、P(O)(OR16)(OM)、P(O)(R15)(OR8)、P(O)(OM)R15、CO2M、CO2H、CO2R11、C(O)R12、C(O)(OR13)、PO2H、PO2M、C(O)(SR13)、SR5、SSR7もしくはSSR5であり;または
XはCH2、CF2、O、NH、N(Me)、NH(OH)、S、C(O)、S(O)、S(O2)、P(O)(OR14)Y、またはP(O)(R13)Y、およびYはSO2M、SO3M、PO3HM、PO3M2、P(O)(OR15)(OR16)、P(O)(OR16)(OM)、SR5、SSR7もしくはSSR5である、請求項２記載の使用。
【請求項６】  R1およびR3は同じまたは異なっていて、H、C1〜C4、アルキル鎖から選択され、このアルキル鎖は1個のOを含んでいてもよく、R1とR3とを連結してペントシル、ヘキソシル、シクロペンチル、またはシクロヘキシル環を形成し、この環は任意にヒドロキシル置換基を有し；
R2およびR4は同じまたは異なっていて、H、硝酸基、任意に1〜3個の硝酸基を含むC1〜C4アルキル、およびアシル基（-C(O)R5）から選択され；
R7、R11は同じまたは異なるC1〜C8、アルキルまたはアシルであり；
R5、R6、R8、R9、R12、R13、R14、R15、R16は1〜12個の炭素原子を含む同じもしくは異なるアルキル基であって、1〜4個のONO2置換基を含んでいてもよいアルキル基；または環状誘導体のR1〜R3へのC1もしくはC2連結であり；かつ
MはH、Na+、K+、NH4+、kが0〜3であるN+HkR11(4-k)である、請求項２記載の使用。
【請求項７】  m＝1、n＝0、p＝1である、請求項６記載の使用。
【請求項８】  XおよびYは共に、CH、N2H3、N2H2R13、N2HR13R14、N3、SCN、SCN2H2(R15)2、SCN2H3(R15)、SC(O)N(R15)2、SC(O)NHR15、SO3M、SH、SR7、SO2M、S(O)R8、S(O)2R9、S(O)OR8、S(O)2OR9、PO3HM、PO3M2、P(O)(OR15)(OR16)、P(O)(OR16)(OM)、P(O)(R15)(OR8)、P(O)(OM)R15、CO2M、CO2H、CO2R11、C(O)R12、C(O)(OR13)、PO2M、C(O)(SR13)、もしくはSSR5であり；または
XはCH2、O、NH、N(Me)、NH(OH)、S、C(O)、S(O)、S(O2)、P(O)(OR14)、またはP(O)(R13)、およびYはCN、N2H2R13、N2HR13R14、N3、SCN、SCN2H2(R15)2、SC(O)N(R15)2、SC(O)NHR15、SO3M、SH、SR7、SO2M、S(O)R8、S(O)2R9、S(O)OR8、S(O)2OR9、PO3HM、PO3M2、P(O)(OR15)(OR16)、P(O)(OR16)(OM)、P(O)(R15)(OR8)、P(O)(OM)R15、CO2M、CO2H、CO2R11、C(O)(OR13)、C(O)(SR13)、SR5、もしくはSSR5である、請求項７記載の使用。
【請求項９】  R5、R6、R8、R9、R12、R13、R14、R15、R16は1〜12個の炭素原子を含む同じもしくは異なるアルキル；または環状誘導体のR1もしくはR3へのC1もしくはC2連結であり；
XおよびYは共に、SO3M、SH、SR7、SO2M、S(O)R8、S(O)2R9、S(O)OR8、S(O)2OR9、PO3M2、P(O)(OR15)(OR16)、P(O)(OR16)(OM)、P(O)(R15)(OR8)、PO3HM、またはP(O)(OM)R15であり；または
XはCH2、O、NH、N(Me)、もしくはSであり、かつYはSO2M、SO3M、PO3HM、PO3M2、P(O)(OR15)(OR16)、P(O)(OR16)(OM)、SR5、SSR7、もしくはSSR5である、請求項６記載の使用。
【請求項１０】  硝酸エステルが下記の式（式II）を有する、被験者において神経保護に影響を及ぼす医用薬剤の製造における硝酸エステルの使用：
【化３】
2002539152.tif 000003
式中、m、n、およびpは0から10の整数であり；
R3,17はそれぞれ独立に水素、硝酸基、またはAであり；
R1,4はそれぞれ独立に水素またはAであり；
ただしAは、置換または無置換脂肪族基（好ましくは鎖中に1から24個の炭素原子を有する分枝または直鎖脂肪族部分）であって、任意に鎖中にO、S、NR6および不飽和を含み、任意に1から4個の水酸基、硝酸基、アミノ基またはアリールもしくは複素環基を有する基；脂肪族環中に3から7個の炭素原子を有する無置換または置換環状脂肪族部分であって、任意に環中にO、S、NR6および不飽和を含み、任意に1から4個の水酸基、硝酸基、アミノ基またはアリールもしくは複素環基を有する部分；R1とR3との間および／またはR17とR4との間に0から5個の炭素の結合を構成する無置換または置換脂肪族部分であって、任意に結合中にO、S、NR6および不飽和を含み、任意に1から4個の水酸基、硝酸基、アミノ基またはアリールもしくは複素環基を有する部分；カルボニル結合（例えばC=O、C=S、C=NOH）を含む置換または無置換脂肪族基（好ましくは鎖中に1から24個の炭素原子を有する分枝、環状または直鎖脂肪族部分）であって、任意に鎖中にO、S、NR6および不飽和を含み、任意に1から4個の水酸基、硝酸基、アミノ基またはアリールもしくは複素環基を有する基；置換または無置換アリール基；複素環基；アミノ（アルキルアミノ、ジアルキルアミノ（環状アミノ、ジアミノおよびトリアミノ部分を含む）、アリールアミノ、ジアリールアミノ、およびアルキルアリールアミノを含む）；ヒドロキシ；アルコキシ；置換または無置換アリールオキシから選択され；
R2、R5、R18は任意に水素、A、またはX-Yであり；
R19はX-Yであり；
ただしXおよびYは共に、F、Br、Cl、NO2、CN、N2H3、N2H2R13、N2HR13R14、N3、SCN、SCN2H2(R15)2、SCN2H3(R15)、SC(O)N(R15)2、SC(O)NHR15、SO3M、SH、SR7、SO2M、S(O)R8、S(O)2R9、S(O)OR8、S(O)2OR9、PO2HM、PO3HM、PO3M2、P(O)(OR15)(OR16)、P(O)(OR16)(OM)、P(O)(R15)(OR8)、P(O)(OM)R15、CO2M、CO2H、CO2R11、C(O)R12、C(O)(OR13)、PO2H、PO2M、C(O)(SR13)、SR5、SSR7、SSR5であり；または
XはCH2、CF2、O、NH、N(Me)、NH(OH)、S、C(O)、S(O)、S(O2)、P(O)(OR14)、またはP(O)(R13)、およびYはF、Br、Cl、CH3、CF2H、CF3、OH、NH2、NHR6、NR6R7、CN、N2H3、N2H2R13、N2HR13R14、N3、SCN、SCN2H2(R15)2、SCN2H3(R15)、SC(O)N(R15)2、SC(O)NHR15、SO3M、SH、SR7、SO2M、S(O)R8、S(O)2R9、S(O)OR8、S(O)2OR9、PO2HM、PO3M2、P(O)(OR15)(OR16)、P(O)(OR16)(OM)、P(O)(R15)(OR8)、P(O)(OM)R15、CO2M、CO2H、CO2R11、C(O)R12、C(O)(OR13)、C(O)(SR13)、SR5、SSR7もしくはSSR5であり；
R6、R7、R8、R9、R11、R12、R13、R14、R15、R16は1〜24個の炭素原子を含む同じもしくは異なるアルキルもしくはアシル基であって、1〜4個のONO2置換基を含んでいてもよい基；または環状誘導体のR1〜R4へのC1〜C6連結であるか；あるいはそれぞれ独立に水素、硝酸基、またはAであり；かつ
MはH、Na+、K+、NH4+、kが0〜3であるN+HkR11(4-k)であるか、または他の薬学的に許容される対イオンであり；かつ
硫黄またはリン原子は、該硝酸エステル中の硝酸基のβまたはγである。
【請求項１１】  XおよびYは共にSCN、SCN2H2(R15)2、SCN2H3(R15)、SC(O)N(R15)2、SC(O)NHR15、SO3M、SH、SR7、SO2M、S(O)R8、S(O)2R9、S(O)OR8、S(O)2OR9、C(O)(SR13)、SR5、SSR7、SSR5であり、または
XはS、もしくはS(O)、もしくはS(O)2であり、およびYはC(O)R12である、請求項１０記載の使用。
【請求項１２】  XはCH2、CF2、O、NH、N(Me)、C(O)、P(O)(OR14)、またはP(O)(R13)であり；かつ
YはSCN、SCN2H2(R15)2、SCN2H3(R15)、SC(O)N(R15)2、SC(O)NHR15、SO3M、SH、SR7、SO2M、S(O)R8、S(O)2R9、S(O)OR8、S(O)2OR9、C(O)(SR13)、SR5、SSR7またはSSR5である、請求項１０記載の使用。
【請求項１３】  XおよびYは共にF、Br、Cl、NO2、CN、N2H3、N2H2R13、N2HR13R14、N3、SCN、SCN2H2(R15)2、SCN2H3(R15)、SC(O)N(R15)2、SC(O)NHR15、SO3M、SH、SR7、SO2M、S(O)R8、S(O)2R9、S(O)OR8、S(O)2OR9、PO2HM、PO3HM、PO3M2、P(O)(OR15)(OR16)、P(O)(OR16)(OM)、P(O)(R15)(OR8)、P(O)(OM)R15、CO2M、CO2H、CO2R11、C(O)R12、C(O)(OR13)、PO2H、PO2M、C(O)(SR13)、SR5、SSR7もしくはSSR5であり;または
XはCH2、CF2、O、NH、N(Me)、NH(OH)、S、C(O)、S(O)、S(O)2、P(O)(OR14)もしくはP(O)(R13)であり、かつYはSO2M、SO3M、PO3HM、PO3M2、P(O)(OR15)(OR16)、P(O)(OR16)(OM)、SR5、SSR7もしくはSSR5である、請求項１０記載の使用。
【請求項１４】  R1およびR3は同じまたは異なっていて、H、C1〜C4、アルキル鎖から選択され、このアルキル鎖は1個のOを含んでいてもよく、R1とR3とを連結してペントシル、ヘキソシル、シクロペンチル、またはシクロヘキシル環を形成し、この環は任意にヒドロキシル置換基を有し；
R2およびR4は同じまたは異なっていて、H、硝酸基、任意に1〜3個の硝酸基を有するC1〜C4アルキル、およびアシル基（-C(O)R5）から選択され；
R7、R11は同じまたは異なるC1〜C8、アルキルまたはアシルであり；
R5、R6、R8、R9、R12、R13、R14、R15、R16は1〜12個の炭素原子を含む同じもしくは異なるアルキル基であって、1〜4個のONO2置換基を含んでいてもよいアルキル基；または環状誘導体のR1〜R3へのC1もしくはC2連結であり；かつ
MはH、Na+、K+、NH4+、kが0〜3であるN+HkR11(4-k)である、請求項１０記載の使用。
【請求項１５】  m＝1、n＝0、p＝1である、請求項１４記載の使用。
【請求項１６】  XおよびYは共にCN、N2H3、N2H2R13、N2HR13R14、N3、SCN、SCN2H2(R15)2、SCN2H3(R15)、SC(O)N(R15)2、SC(O)NHR15、SO3M、SH、SR7、SO2M、S(O)R8、S(O)2R9、S(O)OR8、S(O)2OR9、PO3HM、PO3M2、P(O)(OR15)(OR16)、P(O)(OR16)(OM)、P(O)(R15)(OR8)、P(O)(OM)R15、CO2M、CO2H、CO2R11、C(O)R12、C(O)(OR13)、PO2M、C(O)(SR13)、もしくはSSR5であり；または
XはCH2、O、NH、N(Me)、NH(OH)、S、C(O)、S(O)、S(O)2、P(O)(OR14)もしくはP(O)(R13)であり、かつYはCN、N2H2R13、N2HR13R14、N3、SCN、SCN2H2(R15)2、SC(O)N(R15)2、SC(O)NHR15、SO3M、SH、SR7、SO2M、S(O)8、S(O)2R9、S(O)OR8、S(O)2OR9、PO2HM、PO3M2、P(O)(OR15)(OR16)、P(O)(OR16)(OM)、P(O)(R15)(OR8)、P(O)(OM)R15、CO2M、CO2H、CO2R11、C(O)(OR13)、C(O)(SR13)、SR5、もしくはSSR5である、請求項１５記載の使用。
【請求項１７】  R5、R6、R8、R9、R12、R13、R14、R15、R16は1〜12個の炭素原子を含む同じもしくは異なるアルキル；または環状誘導体のR1もしくはR3へのC1もしくはC2連結であり；
XおよびYは共にSO3M、SH、SR7、SO2M、S(O)R8、S(O)2R9、S(O)OR8、S(O)2OR9、PO3M2、P(O)(OR15)(OR16)、P(O)(OR16)(OM)、P(O)(R15)(OR8)、PO3HMもしくはP(O)(OM)R15；または
XはCH2、O、NH、N(Me)、Sであり、かつYはSO2M、SO3M、PO3HM、PO3M2、P(O)(OR15)(OR16)、P(O)(OR16)(OM)、SR5、SSR7もしくはSSR5である、請求項１０記載の使用。
【請求項１８】  被験者において認知増強をもたらす医用薬剤の製造における、下記の式（式II）を有する硝酸エステルの使用：
【化４】
2002539152.tif 000004
式中、m、n、pは0から10の整数であり；
R3,17はそれぞれ独立に水素、硝酸基、またはAであり；
R1,4はそれぞれ独立に水素またはAであり；
ただしAは、置換または無置換脂肪族基（好ましくは鎖中に1から24個の炭素原子を有する分枝または直鎖脂肪族部分）であって、任意に鎖中にO、S、NR6および不飽和を含み、任意に1から4個の水酸基、硝酸基、アミノ基またはアリールもしくは複素環基を有する基；脂肪族環中に3から7個の炭素原子を有する無置換または置換環状脂肪族部分であって、任意に環中にO、S、NR6および不飽和を含み、任意に1から4個の水酸基、硝酸基、アミノ基またはアリールもしくは複素環基を有する部分；R1とR3との間および／またはR17とR4との間に0から5個の炭素の結合を構成する無置換または置換脂肪族部分であって、任意に結合中にO、S、NR6および不飽和を含み、任意に1から4個の水酸基、硝酸基、アミノ基またはアリールもしくは複素環基を有する部分；カルボニル結合（例えばC=O、C=S、C=NOH）を含む置換または無置換脂肪族基（好ましくは鎖中に1から24個の炭素原子を有する分枝、環状または直鎖脂肪族部分）であって、任意に鎖中にO、S、NR6および不飽和を含み、任意に1から4個の水酸基、硝酸基、アミノ基またはアリールもしくは複素環基を有する基；置換または無置換アリール基；複素環基；アミノ（アルキルアミノ、ジアルキルアミノ（環状アミノ、ジアミノおよびトリアミノ部分を含む）、アリールアミノ、ジアリールアミノ、およびアルキルアリールアミノを含む）；ヒドロキシ；アルコキシ；置換または無置換アリールオキシから選択され；
R2、R5、R18は任意に水素、A、またはX-Yであり；
R19はX-Yであり；
ただしXおよびYは共にF、Br、Cl、NO2、CN、N2H3、N2H2R13、N2HR13R14、N3、SCN、SCN2H2(R15)2、SCN2H3(R15)、SC(O)N(R15)2、SC(O)NHR15、SO3M、SH、SR7、SO2M、S(O)R8、S(O)2R9、S(O)OR8、S(O)2OR9、PO2HM、PO3HM、PO3M2、P(O)(OR15)(OR16)、P(O)(OR16)(OM)、P(O)(R15)(OR8)、P(O)(OM)R15、CO2M、CO2H、CO2R11、C(O)R12、C(O)(OR13)、PO2H、PO2M、C(O)(SR13)、SR5、SSR7、SSR5であり；または
XはCH2、CF2、O、NH、N(Me)、NH(OH)、S、C(O)、S(O)、S(O2)、P(O)(OR14)もしくはP(O)(R13)であり、かつYはF、Br、Cl、CH3、CF2H、CF3、OH、NH2、NHR6、NR6R7、CN、N2H3、N2H2R13、N2HR13R14、N3、SCN、SCN2H2(R15)2、SCN2H3(R15)、SC(O)N(R15)2、SC(O)NHR15、SO3M、SH、SR7、SO2M、S(O)R8、S(O)2R9、S(O)OR8、S(O)2OR9、PO2HM、PO3M2、P(O)(OR15)(OR16)、P(O)(OR16)(OM)、P(O)(R15)(OR8)、P(O)(OM)R15、CO2M、CO2H、CO2R11、C(O)R12、C(O)(OR13)、C(O)(SR13)、SR5、SSR7もしくはSSR5であり；
R6、R7、R8、R9、R11、R12、R13、R14、R15、R16は1〜24個の炭素原子を含む同じもしくは異なるアルキルもしくはアシル基であって、1〜4個のONO2置換基を含んでいてもよい基；または環状誘導体のR1〜R4へのC1〜C6連結であるか；あるいはそれぞれ独立に水素、硝酸基、またはAであり；かつ
MはH、Na+、K+、NH4+、kが0〜3であるN+HkR11(4-k)であるか、または他の薬学的に許容される対イオンであり；かつ
硫黄またはリン原子は、該硝酸エステル中の硝酸基のβまたはγである。
【請求項１９】  R1およびR3は同じまたは異なっていて、H、C1〜C4、アルキル鎖から選択され、このアルキル鎖は1個のOを含んでいてもよく、R1とR3とを連結してペントシル、ヘキソシル、シクロペンチル、またはシクロヘキシル環を形成し、この環は任意にヒドロキシル置換基を有し；
R2およびR4は同じまたは異なっていて、H、硝酸基、任意に1〜3個の硝酸基を有するC1〜C4アルキル、およびアシル基（-C(O)R5）から選択され；
R7、R11は同じまたは異なるC1〜C8、アルキルまたはアシルであり；
R5、R6、R8、R9、R12、R13、R14、R15、R16は1〜12個の炭素原子を含む同じもしくは異なるアルキル基であって、1〜4個のONO2置換基を含んでいてもよいアルキル基；または環状誘導体のR1〜R3へのC1もしくはC2連結であり；かつ
MはH、Na+、K+、NH4+、kが0〜3であるN+HkR11(4-k)である、請求項１８記載の使用。
【請求項２０】  m＝1、n＝0、p＝1であり；
XおよびYは共にCN、N2H3、N2H2R13、N2HR13R14、N3、SCN、SCN2H2(R15)2、SCN2H3(R15)、SC(O)N(R15)2、SC(O)NHR15、SO3M、SH、SR7、SO2M、S(O)R8、S(O)2R9、S(O)OR8、S(O)2OR9、PO3HM、PO3M2、P(O)(OR15)(OR16)、P(O)(OR16)(OM)、P(O)(R15)(OR8)、P(O)(OM)R15、CO2M、CO2H、CO2R11、C(O)R12、C(O)(OR13)、PO2M、C(O)(SR13)、もしくはSSR5であり；または
XはCH2、O、NH、N(Me)、NH(OH)、S、C(O)、S(O)、S(O)2、P(O)(OR14)もしくはP(O)(R13)であり、かつYはCN、N2H2R13、N2HR13R14、N3、SCN、SCN2H2(R15)2、SC(O)N(R15)2、SC(O)NHR15、SO3M、SH、SR7、SO2M、S(O)R8、S(O)2R9、S(O)OR8、S(O)2OR9、PO2HM、PO3M2、P(O)(OR15)(OR16)、P(O)(OR16)(OM)、P(O)(R15)(OR8)、P(O)(OM)R15、CO2M、CO2H、CO2R11、C(O)(OR13)、C(O)(SR13)、SR5、SSR7もしくはSSR5である、請求項１９記載の使用。
【請求項２１】  m＝1、n＝0、p＝1であり；
R5、R6、R8、R9、R12、R13、R14、R15、R16は1〜12個の炭素原子を含む同じもしくは異なるアルキル；または環状誘導体のR1もしくはR3へのC1もしくはC2連結であり；
XおよびYは共にSO3M、SH、SR7、SO2M、S(O)R8、S(O)2R9、S(O)OR8、S(O)2OR9、PO3M2、P(O)(OR15)(OR16)、P(O)(OR16)(OM)、P(O)(R15)(OR8)、PO3HMもしくはP(O)(OM)R15；または
XはCH2、O、NH、N(Me)、Sであり、かつYはSO2M、SO3M、PO3HM、PO3M2、P(O)(OR15)(OR16)、P(O)(OR16)(OM)、SR5、SSR7もしくはSSR5である、請求項１９記載の使用。
【請求項２２】  下記の一般式（式III）を有する少なくとも1個の硝酸基を含む有機硝酸塩：
【化５】
2002539152.tif 000005
式中、mは1から10の整数であり；nは0から10の整数であり；
R3,4,17はそれぞれ独立に水素、硝酸基、またはAであり；
ただしAは、置換または無置換脂肪族基（好ましくは鎖中に1から24個の炭素原子を有する分枝または直鎖脂肪族部分）であって、任意に鎖中にO、S、NR6および不飽和を含み、任意に1から4個の水酸基、硝酸基、アミノ基またはアリールもしくは複素環基を有する基；脂肪族環中に3から7個の炭素原子を有する無置換または置換環状脂肪族部分であって、任意に環中にO、S、NR6および不飽和を含み、任意に1から4個の水酸基、硝酸基、アミノ基またはアリールもしくは複素環基を有する部分；R1とR3との間および／またはR17とR4との間に0から5個の炭素の結合を構成する無置換または置換脂肪族部分であって、任意に結合中にO、S、NR6および不飽和を含み、任意に1から4個の水酸基、硝酸基、アミノ基またはアリールもしくは複素環基を有する部分；カルボニル結合（例えばC=O、C=S、C=NOH）を含む置換または無置換脂肪族基（好ましくは鎖中に1から24個の炭素原子を有する分枝、環状または直鎖脂肪族部分）であって、任意に鎖中にO、S、NR6および不飽和を含み、任意に1から4個の水酸基、硝酸基、アミノ基またはアリールもしくは複素環基を有する基；置換または無置換アリール基；複素環基；アミノ（アルキルアミノ、ジアルキルアミノ（環状アミノ、ジアミノおよびトリアミノ部分を含む）、アリールアミノ、ジアリールアミノ、およびアルキルアリールアミノを含む）；ヒドロキシ；アルコキシ；置換または無置換アリールオキシから選択され；
R2、R5、R18、は任意に水素、A、またはX-Yであり；
ただしXおよびYは共に、F、Br、Cl、NO2、CN、N2H3、N2H2R13、N2HR13R14、N3、SCN、SCN2H2(R15)2、SCN2H3(R15)、SC(O)N(R15)2、SC(O)NHR15、SO3M、SH、SR7、SO2M、S(O)R8、S(O)2R9、S(O)OR8、S(O)2OR9、PO2HM、PO3HM、PO3M2、P(O)(OR15)(OR16)、P(O)(OR16)(OM)、P(O)(R15)(OR8)、P(O)(OM)R15、CO2M、CO2H、CO2R11、C(O)R12、C(O)(OR13)、PO2H、PO2M、C(O)(SR13)、SR5、SSR7、SSR5であり；または
XはCH2、CF2、O、NH、N(Me)、NH(OH)、S、C(O)、S(O)、S(O2)、P(O)(OR14)、もしくはP(O)(R13)であり、かつYはF、Br、Cl、CH3、CF2H、CF3、OH、NH2、NHR6、NR6R7、CN、N2H3、N2H2R13、N2HR13R14、N3、SCN、SCN2H2(R15)2、SCN2H3(R15)、SC(O)N(R15)2、SC(O)NHR15、SO3M、SH、SR7、SO2M、S(O)R8、S(O)2R9、S(O)OR8、S(O)2OR9、PO2HM、PO3M2、P(O)(OR15)(OR16)、P(O)(OR16)(OM)、P(O)(R15)(OR8)、P(O)(OM)R15、CO2M、CO2H、CO2R11、C(O)R12、C(O)(OR13)、C(O)(SR13)、SR5、SSR7もしくはSSR5であり；
R6、R7、R8、R9、R11、R12、R13、R14、R15、R16は1〜24個の炭素原子を含む同じもしくは異なるアルキルもしくはアシル基であって、1〜4個のONO2置換基を含んでいてもよい基；または環状誘導体のR1〜R4へのC1〜C6連結であるか；あるいはそれぞれ独立に水素、硝酸基、またはAであり；かつ
MはH、Na+、K+、NH4+、kが0〜3であるN+HkR11(4-k)であるか、または他の薬学的に許容される対イオンであり；
ただし、
m＝0；n＝1；
R18およびR3は同じまたは異なっていて、H、硝酸基、C1〜C4アルキルおよび鎖から選択され、このアルキル鎖は1個のOを含んでいてもよく、R18とR3とを連結してペントシル、ヘキソシル、シクロペンチル、またはシクロヘキシル環を形成し、この環は任意にヒドロキシル置換基を有し；
R17およびR4は同じまたは異なっていて、H、硝酸基、任意に1〜3個の硝酸基を含むC1〜C4アルキル、およびアシル基（-C(O)R5）から選択され；
R5、R6、R8、R9、R12、R13、R14、R15、R16は1〜12個の炭素原子を含む同じもしくは異なるアルキル基であって、1〜4個のONO2置換基を含んでいてもよいアルキル基；または環状誘導体のR18、R17、もしくはR3へのC1もしくはC2連結であり；
R7、R11はC1〜C8アルキルまたはアシルであり；
MはH、Na+、K+、NH4+、kが0〜3であるN+HkR11(4-k)であり；
XおよびYは共に、CN、NHOH、N2H3、N2H2R13、N2HR13R14、N3、SCN、SCN2H2(R15)2、SCN2H3(R15)、SC(O)N(R15)2、SC(O)NHR15、SO3M、SH、SR7、SO2M、S(O)R8、S(O)2R9、S(O)OR8、S(O)2OR9、PO3HM、PO3M2、P(O)(OR15)(OR16)、P(O)(OR16)(OM)、P(O)(R15)(OR8)、P(O)(OM)R15、CO2M、CO2H、CO2R11、C(O)R12、C(O)(OR13)、PO2M、P(O)(OR14)、P(O)(R13)、C(O)(SR13)、もしくはSSR4であり；または
YがCN、N2H2R13、N2HR13R14、N3、SCN、SCN2H2(R15)2、SC(O)N(R15)2、SC(O)NHR15、SO3M、SH、SO2M、PO3M2、PO3HM、P(O)(OR15)(OR16)、P(O)(OR16)(OM)、P(O)(OM)R15、CO2M、CO2H、CO2R11、C(O)R12、C(O)(SR13)、SR4、SR5、もしくはSSR5であるとき、XはCH2、O、NH、N(Me)、C(O)、S(O)、S(O)2ではない。
【請求項２３】  下記の式（式V）で表される化合物を調製するための方法であって、
適当なハロ有機硝酸塩が生成するような条件下で、適当なハロアルコールを、水および選択された有機溶媒の混合物中の硝酸および硫酸の混合物、硝酸アセチル、テトラフルオロホウ酸ニトロニウムから選択されるニトロ化試薬と反応させるか、または適当なハロアルケンをペンタン中で硝酸タリウムと反応させる段階と；
適当なハロ有機硝酸塩をチオールスルホン酸塩と反応させて選択されたブンテ塩を製造する段階と；
適当なブンテ塩を、式Vの化合物が調製されるような条件下で、任意に酸化剤（例えば30％過酸化水素）と共に適当な触媒（例えば硫酸）存在下で反応させる段階と；
適当なジスルフィドをチオール／ジスルフィド交換反応において、式Vの化合物が生成するような条件下で、有機チオラート塩と反応させる段階とを含む方法：
【化６】
2002539152.tif 000006
式中、m、n＝0〜10；
R4は水素、硝酸基、またはAであり；
R3、R17、R18はそれぞれ独立に水素またはAであり；
ただしAは、置換または無置換脂肪族基（好ましくは鎖中に1から24個の炭素原子を有する分枝または直鎖脂肪族部分）であって、任意に鎖中にO、S、NR6および不飽和を含み、任意に1から4個の水酸基、硝酸基、アミノ基またはアリールもしくは複素環基を有する基；脂肪族環中に3から7個の炭素原子を有する無置換または置換環状脂肪族部分であって、任意に環中にO、S、NR6および不飽和を含み、任意に1から4個の水酸基、硝酸基、アミノ基またはアリールもしくは複素環基を有する部分；R1とR3との間および／またはR2とR4との間に0から5個の炭素の結合を構成する無置換または置換脂肪族部分であって、任意に結合中にO、S、NR6および不飽和を含み、任意に1から4個の水酸基、硝酸基、アミノ基またはアリールもしくは複素環基を有する部分；カルボニル結合（例えばC=O、C=S、C=NOH）を含む置換または無置換脂肪族基（好ましくは鎖中に1から24個の炭素原子を有する分枝、環状または直鎖脂肪族部分）であって、任意に鎖中にO、S、NR6および不飽和を含み、任意に1から4個の水酸基、硝酸基、アミノ基またはアリールもしくは複素環基を有する基；置換または無置換アリール基；複素環基；アミノ（アルキルアミノ、ジアルキルアミノ（環状アミノ、ジアミノおよびトリアミノ部分を含む）、アリールアミノ、ジアリールアミノ、およびアルキルアリールアミノを含む）；ヒドロキシ；アルコキシ；置換または無置換アリールオキシから選択される。
【請求項２４】  被験者の虚血による脳の損傷を軽減するための医用薬剤の製造における硝酸エステルの使用であって、該硝酸エステルが下記の式（式II）を有する使用：
【化７】
2002539152.tif 000007
式中、m、n、およびpは0から10の整数であり；
R3,17はそれぞれ独立に水素、硝酸基、またはAであり；
R1,4はそれぞれ独立に水素またはAであり；
ただしAは、置換または無置換脂肪族基（好ましくは鎖中に1から24個の炭素原子を有する分枝または直鎖脂肪族部分）であって、任意に鎖中にO、S、NR6および不飽和を含み、任意に1から4個の水酸基、硝酸基、アミノ基またはアリールもしくは複素環基を有する部分；脂肪族環中に3から7個の炭素原子を有する無置換または置換環状脂肪族部分であって、任意に環中にO、S、NR6および不飽和を含み、任意に1から4個の水酸基、硝酸基、アミノ基またはアリールもしくは複素環基を有する部分；R1とR3との間および／またはR17とR4との間に0から5個の炭素の結合を構成する無置換または置換脂肪族部分であって、任意に結合中にO、S、NR6および不飽和を含み、任意に1から4個の水酸基、硝酸基、アミノ基またはアリールもしくは複素環基を有する部分；カルボニル結合（例えばC=O、C=S、C=NOH）を含む置換または無置換脂肪族基（好ましくは鎖中に1から24個の炭素原子を有する分枝、環状または直鎖脂肪族部分）であって、任意に鎖中にO、S、NR6および不飽和を含み、任意に1から4個の水酸基、硝酸基、アミノ基またはアリールもしくは複素環基を有する基；置換または無置換アリール基；複素環基；アミノ（アルキルアミノ、ジアルキルアミノ（環状アミノ、ジアミノおよびトリアミノ部分を含む）、アリールアミノ、ジアリールアミノ、およびアルキルアリールアミノを含む）；ヒドロキシ；アルコキシ；置換または無置換アリールオキシから選択され；
R2、R5、R18は任意に水素、A、またはX-Yであり；
R19はX-Yであり；
ただしXおよびYは共に、F、Br、Cl、NO2、CN、N2H3、N2H2R13、N2HR13R14、N3、SCN、SCN2H2(R15)2、SCN2H3(R15)、SC(O)N(R15)2、SC(O)NHR15、SO3M、SH、SR7、SO2M、S(O)R8、S(O)2R9、S(O)OR8、S(O)2OR9、PO2HM、PO3HM、PO3M2、P(O)(OR15)(OR16)、P(O)(OR16)(OM)、P(O)(R15)(OR8)、P(O)(OM)R15、CO2M、CO2H、CO2R11、C(O)R12、C(O)(OR13)、PO2H、PO2M、C(O)(SR13)、SR5、SSR7、SSR5であり；または
Xは、CH2、CF2、O、NH、N(Me)、NH(OH)、S、C(O)、S(O)、S(O2)、P(O)(OR14)もしくはP(O)(OR13)であり、かつYはF、Br、Cl、CH3、CF2H、CF3、OH、NH2、NHR6、NR6R7、CN、N2H3、N2H2R13、N2HR13R14、N3、SCN、SCN2H2(R15)2、SCN2H3(R15)、SC(O)N(R15)2、SC(O)NHR15、SO3M、SH、SR7、SO2M、S(O)R8、S(O)2R9、S(O)OR8、S(O)2OR9、PO2HM、PO3M2、P(O)(OR15)(OR16)、P(O)(OR16)(OM)、P(O)(R15)(OR8)、P(O)(OM)R15、CO2M、CO2H、CO2R11、C(O)R12、C(O)(OR13)、C(O)(SR13)、SR5、SSR7もしくはSSR5であり；
R6、R7、R8、R9、R11、R12、R13、R14、R15、R16は1〜24個の炭素原子を含む同じもしくは異なるアルキルもしくはアシル基であって、1〜4個のONO2置換基を含んでいてもよい基；または環状誘導体のR1〜R4へのC1〜C6連結であるか；あるいはそれぞれ独立に水素、硝酸基、またはAであり；かつ
MはH、Na+、K+、NH4+、kが0〜3であるN+HkR11(4-k)であるか、または他の薬学的に許容される対イオンであり；かつ
硫黄またはリン原子は、該硝酸エステル中の硝酸基のβまたはγである。
【請求項２５】  XおよびYは共にSCN、SCN2H2(R15)2、SCN2H3(R15)、SC(O)N(R15)2、SC(O)NHR15、SO3M、SH、SR7、SO2M、S(O)R8、S(O)2R9、S(O)OR8、S(O)2OR9、C(O)(SR13)、SR5、SSR7もしくはSSR5であり；または
XはS、もしくはS(O)、もしくはS(O)2であり、かつYはC(O)R1である、請求項２４記載の使用。
【請求項２６】  XはCH2Y、CF2Y、OY、NHY、NMeY、C(O)Y、P(O)(OR14)Y、またはP(O)(R13)Yであって、ここで
YはSCN、SCN2H2(R15)2、SCN2H3(R15)、SC(O)N(R15)2、SC(O)NHR15、SO3M、SH、SR7、SO2M、S(O)R8、S(O)2R9、S(O)OR8、S(O)2OR9、C(O)(SR13)、SR5、SSR7またはSSR5である、請求項２４記載の使用。
【請求項２７】  XおよびYは共にF、Br、Cl、NO2、CN、N2H3、N2H2R13、N2HR13R14、N3、SCN、SCN2H2(R15)2、SCN2H3(R15)、SC(O)N(R15)2、SC(O)NHR15、SO3M、SH、SR7、SO2M、S(O)R8、S(O)2R9、S(O)OR8、S(O)2OR9、PO2HM、PO3HM、PO3M2、P(O)(OR15)(OR16)、P(O)(OR16)(OM)、P(O)(R15)(OR8)、P(O)(OM)R15、CO2M、CO2H、CO2R11、C(O)R12、C(O)(OR13)、PO2H、PO2M、C(O)(SR13)、SR5、SSR7もしくはSSR5であり;または
XはCH2、CF2、O、NH、N(Me)、NH(OH)、S、C(O)、S(O)、S(O)2、P(O)(OR14)、もしくはP(O)(R13)であり、かつYはSO2M、SO3M、PO3HM、PO3M2、P(O)(OR15)(OR16)、P(O)(OR16)(OM)、SR5、SSR7もしくはSSR5である、請求項２４記載の使用。
【請求項２８】  R1およびR3は同じまたは異なっていて、H、C1〜C4、アルキル鎖から選択され、このアルキル鎖は1個のOを含んでいてもよく、R1とR3とを連結してペントシル、ヘキソシル、シクロペンチル、またはシクロヘキシル環を形成し、この環は任意にヒドロキシル置換基を有し；
R2およびR4は同じまたは異なっていて、H、硝酸基、任意に1〜3個の硝酸基を含むC1〜C4アルキル、およびアシル基（-C(O)R5）から選択され；
R7、R11は同じまたは異なるC1〜C8、アルキルまたはアシルであり；
R5、R6、R8、R9、R12、R13、R14、R15、R16は1〜12個の炭素原子を含む同じもしくは異なるアルキル基であって、1〜4個のONO2置換基を含んでいてもよいアルキル基；または環状誘導体のR1〜R3へのC1もしくはC2連結であり；かつ
MはH、Na+、K+、NH4+、kが0〜3であるN+HkR11(4-k)である、請求項２４記載の使用。
【請求項２９】  m＝1、n＝0、p＝1である、請求項２８記載の使用。
【請求項３０】  XおよびYは共にCN、N2H3、N2H2R13、N2HR13R14、N3、SCN、SCN2H2(R15)2、SCN2H3(R15)、SC(O)N(R15)2、SC(O)NHR15、SO3M、SH、SR7、SO2M、S(O)R8、S(O)2R9、S(O)OR8、S(O)2OR9、PO3HM、PO3M2、P(O)(OR15)(OR16)、P(O)(OR16)(OM)、P(O)(R15)(OR8)、P(O)(OM)R15、CO2M、CO2H、CO2R11、C(O)R12、C(O)(OR13)、PO2M、C(O)(SR13)、またはSSR5であり；ならびに
XはCH2、O、NH、N(Me)、NH(OH)、S、C(O)、S(O)、S(O2)、P(O)(OR14)、またはP(O)(R13)であり、かつYはCN、N2H2R13、N2HR13R14、N3、SCN、SCN2H2(R15)2、SC(O)N(R15)2、SC(O)NHR15、SO3M、SH、SR7、SO2M、S(O)R8、S(O)2R9、S(O)OR8、S(O)2OR9、PO2HM、PO3M2、P(O)(OR15)(OR16)、P(O)(OR16)(OM)、P(O)(R15)(OR8)、P(O)(OM)R15、CO2M、CO2H、CO2R11、C(O)(OR13)、C(O)(SR13)、SR5、またはSSR5である、請求項２９記載の使用。
【請求項３１】  R5、R6、R8、R9、R12、R13、R14、R15、R16は1〜12個の炭素原子を含む同じもしくは異なるアルキル；または環状誘導体のR1もしくはR3へのC1もしくはC2連結であり；
XおよびYは共にSO3M、SH、SR7、SO2M、S(O)R8、S(O)2R9、S(O)OR8、S(O)2OR9、PO3M2、P(O)(OR15)(OR16)、P(O)(OR16)(OM)、P(O)(R15)(OR8)、PO3HM、もしくはP(O)(OM)R15であり；または
XはCH2、O、NH、N(Me)、Sであり、かつYはSO2M、SO3M、PO3HM、PO3M2、P(O)(OR15)(OR16)、P(O)(OR16)(OM)、SR5、もしくはSSR5である、請求項３０記載の使用。
【請求項３２】  p＝1であり、R6〜R9、R11〜R16は1〜24個の炭素原子を含む同じもしくは異なるアルキルもしくはアシル基であって、1〜4個のONO2置換基を含んでいてもよい基、または環状誘導体のR1〜R4へのC1〜C6連結である、請求項２４記載の使用。
【請求項３３】  XおよびYは共にSSR5およびp＝1である、請求項２４記載の使用。
【請求項３４】  R18はA、m＝1、n＝1、および p＝0である、請求項２４記載の使用。
【請求項３５】  m＝1、p＝1およびn＝0である、請求項３３記載の使用。
【請求項３６】  Aは、置換または無置換脂肪族基（好ましくは鎖中に1から24個の炭素原子を有する分枝または直鎖脂肪族部分）であって、任意に鎖中にO、S、NR6および不飽和を含んでいてもよく、任意に1から4個の水酸基、硝酸基、アミノ基またはアリールもしくは複素環基を有する基；脂肪族環中に3から7個の炭素原子を有する無置換または置換環状脂肪族部分であって、任意に環中にO、S、NR6および不飽和を含んでいてもよく、任意に1から4個の水酸基、硝酸基、アミノ基またはアリールもしくは複素環基を有する部分；カルボニル結合（例えばC=O、C=S、C=NOH）を含む置換または無置換脂肪族基（好ましくは鎖中に1から24個の炭素原子を有する分枝、環状または直鎖脂肪族部分）であって、任意に鎖中にO、S、NR6および不飽和を含んでいてもよく、任意に1から4個の水酸基、硝酸基、アミノ基またはアリールもしくは複素環基を有する基；置換または無置換アリール基；複素環基；アミノ（アルキルアミノ、ジアルキルアミノ（環状アミノ、ジアミノおよびトリアミノ部分を含む）、アリールアミノ、ジアリールアミノ、およびアルキルアリールアミノを含む）；ヒドロキシ；アルコキシ；置換または無置換アリールオキシから選択される、請求項３５記載の使用。
【請求項３７】  m＝1、p＝1、およびn＝0であり、R1、R2、R3、R4、R18はHであり、R17は硝酸基であり、かつR19はSSR5であり、ただしR5はAであり、かつAは複素環基である、請求項３６記載の使用。
【請求項３８】  m＝1、p＝1、およびn＝0であり、R1、R2、R3、R4、R18はHであり、R17は硝酸基であり、かつR19はSSR5であり、ただしR5はAであり、かつAは置換または無置換アリール基である、請求項３６記載の使用。
【請求項３９】  m＝1、p＝1、およびn＝0であり、R1、R2、R3、R4、R18はHであり、R17は硝酸基であり、かつR19はSSR5であり、ただしR5はAであり、かつAは脂肪族環中に3から7個の炭素原子を有する置換または無置換環状脂肪族部分であって、任意に環中にO、S、NR6および不飽和を含んでいてもよく、任意に1から4個の水酸基、硝酸基、もしくはアミノ基またはアリールもしくは複素環基を有する部分；カルボニル結合（例えばC=O、C=S、C=NOH）を含む置換または無置換脂肪族基（好ましくは鎖中に1から24個の炭素原子を有する分枝、環状または直鎖脂肪族部分）であって、任意に鎖中にO、S、NR6および不飽和を含んでいてもよく、任意に1から4個の水酸基、硝酸基、アミノ基またはアリールもしくは複素環基を有する基である、請求項３６記載の使用。
【請求項４０】  m＝1、p＝1、およびn＝0であり、R1、R2、R3、R4、R18はHであり、R17は硝酸基であり、R19はSSR5であり、ただしR5はAであり、かつAは置換または無置換脂肪族基（好ましくは鎖中に1から24個の炭素原子を有する分枝または直鎖脂肪族部分）であって、任意に鎖中にO、S、NR6および不飽和を含んでいてもよく、任意に1から4個の水酸基、硝酸基、アミノ基またはアリールもしくは複素環基を有する基である、請求項３６記載の使用。
【請求項４１】  硝酸エステルが下記の式からなる群より選択される式を有する、請求項２４記載の使用：
【化８】
2002539152.tif 000008
2002539152.tif 000009
【請求項４２】  硝酸エステルが下記の式（式Va）を有する、請求項２４記載の使用：
【化１２】
2002539152.tif 000010
【請求項４３】  治療化合物が経口、静脈内、口腔内、経皮または皮下投与される、請求項１、２、１０、１８、および２４のいずれか一項記載の使用。
【請求項４４】  薬学的に許容される媒体中の治療化合物を投与することをさらに含む、請求項１、２、１０、１８、および２４のいずれか一項記載の使用。
【請求項４５】  被験者への治療化合物の投与が脳のフリーラジカル損傷を調節する、請求項１、２、１０、１８、および２４のいずれか一項記載の使用。
【請求項４６】  被験者への治療化合物の投与がグルタミン酸神経受容体の活性を調節する、請求項１、２、１０、１８、および２４のいずれか一項記載の使用。
【請求項４７】  被験者への治療化合物の投与が非グルタミン酸神経受容体の活性を調節する、請求項１、２、１０、１８、および２４のいずれか一項記載の使用。
【請求項４８】  被験者への治療化合物の投与が細胞性グアニル酸シクラーゼ活性を調節する、請求項１、２、１０、１８、および２４のいずれか一項記載の使用。
【請求項４９】  被験者への治療化合物の投与がアポトーシスを調節する、請求項１、２、１０、１８、および２４のいずれか一項記載の使用。
【請求項５０】  被験者への治療化合物の投与が環状ヌクレオチドcGMPおよび／またはcAMPのレベルを調節する、請求項１、２、１０、１８、および２４のいずれか一項記載の使用。
【請求項５１】  脳の損傷が心筋梗塞または外科的方法によるものである、請求項２４記載の使用。
【請求項５２】  硝酸エステルが下記の式からなる群より選択される式を有する、請求項２記載の使用：
2002539152.tif 000011
【請求項５３】  硝酸エステルが下記の式からなる群より選択される式を有する、請求項１０記載の使用：
2002539152.tif 000012
【請求項５４】  nが1であり、かつR18がAである、請求項２２記載の硝酸塩。
【請求項５５】  nが1であり、かつR18がAである、請求項２３記載の方法。